(57)【要約】【課題】あと施工アンカーにおいて、コンクリートく体の孔壁への固着作業が簡易で、固着後の水平方向と鉛直方向の固定強度や耐久性も向上する拡開アンカ−を提供すること。【解決手段】先端部を開口し後端部に圧締盤２cを一体にした筒体は、先端部では割溝１aによって拡開変形可能な前拡開片１bを設け、圧締盤２cの近傍にも拡開変形可能な後拡開片１dを設け、筒体の開口部から挿入された軸体３には圧締盤２cの中心に開口したボルト孔２eから挿通されたボルト４がその軸心に貫通螺設されたネジ孔３dに螺合され、ボルト４の回動により引き込まれる軸体３のテーパ部３bよって前拡開片１bが拡開され、同時に軸体３の後端の案内面３cによって後拡開片１dが拡開されて筒体はコンクリートく体６の孔壁７aにつかみ取るように２点の支持点で圧着される。【選択図】図２
2008144539.tif 000002
【特許請求の範囲】
【請求項１】
前固定子は、円筒状の筒体の先端部周面には先端から軸心に沿って均等に刻設した割溝によって複数の前拡開片を配設し、後端部周面には後端から軸心に沿って前記割溝相互間の中心を軸線として均等に雌部としての係合溝を掘設して該係合溝間を雄部としての後拡開片とするとともに該後拡開片の内面を傾斜面として成り、後固定子は、円筒状の筒体の前記後拡開片側の一方側では前記係合溝と後拡開片に噛合する係合片と分割溝を設け、他方側では円盤状の圧締盤を一体に設けて該圧締盤から前記一方側へボルト挿通用のボルト孔を貫設して成り、軸体３は、筒体に内嵌される長さで前端部には筒体の外径に収まるテーパ部を設け、後端部には筒体の後拡開片を拡開する勾配の案内面を設け、軸心にネジ孔を設けて成り、前後の固定子を組合わせ内挿した軸体３を挿入したボルトにより引き込むことにより、前後の拡開片を外方へ突出させることを特徴とした拡開アンカー。
【請求項２】
円筒状の筒体は、先端部周面には先端から軸心に沿って均等に刻設した割溝によって複数の前拡開片を配設し、後端部には所要外径の円盤状の圧締盤を一体に設けその中心に筒体を貫通するボルト孔を貫設し、該圧締盤と前記前拡開片との間で筒体の周面に均等に後拡開片を刻設し、該後拡開片の内面を傾斜面として成り、軸体は、前端部には筒体の外径に収まるテーパ部を設け、後端部には筒体の後拡開片を拡開する勾配の案内面を設け、軸心にネジ孔を貫通螺設して成り、筒体の前端部に内嵌した軸体を後端部に挿入したボルトで引き込むようにした拡開アンカー。
【請求項３】
前記軸体のテーパ部の近傍に、前記固定子の割溝に係合する係合子を立設して成る請求項１又は２記載の拡開アンカー。
【発明の詳細な説明】
【技術分野】
【０００１】
本発明は、コンクリートく体に穿設された孔に挿入されて孔壁に固着される、いわゆる「あと施工アンカー」の分野に属する。
【背景技術】
【０００２】
コンクリートく体の孔にあと施工アンカーを固着する方法として、従来から金属拡張アンカーを打込み方式や締付け方式で拡張して孔に固着しているが、その中で孔壁との固着点を２点としている技術は特開昭59-37312号公報（特許文献１）に開示されている。この特許文献１における拡開アンカーは、本体Ａに挿入した楔部材Ｂや本体Ａに外嵌するスリーブＣを叩打することにより、それぞれ分割部４と分割部１０を孔壁に食い込ませて固着するものであるが、本体Ａに螺設するねじ１を損傷させたり、本体Ａの基端部１５に突出するねじ杆部１６のねじ山を損傷させるほか、スリーブＣは叩打されながら孔壁に食い込むので孔壁を削る状態で傾斜部５に案内され打込み抵抗が大で作業性も悪い問題がある。
【特許文献１】特開昭５９−３７３１２号公報
【発明の開示】
【発明が解決しようとする課題】
【０００３】
本発明は、コンクリートく体の孔壁への固着作業が簡易で、固着後の水平方向と鉛直方向の固定強度や耐久性も向上するあと施工アンカーとしての拡開アンカーの提供をその目的とする。
【課題を解決するための手段】
【０００４】
上記課題を解決する本発明の請求項１に記載した拡開アンカーは、一方側の前固定子１Fと他方側の後固定子２Bと軸体３とボルト４との組合わせから成り、前固定子１Fは、所要長さ、所要外径の円筒状の筒体１の先端部周面に先端から軸心に沿って均等に刻設した複数の割溝によって形成された前拡開片を配設し、後端部周面には後端から軸心に沿って前記割溝相互間の中心を軸線として均等に雌部としての係合溝を掘設して該係合溝間を雄部としての後拡開片とするとともに該後拡開片の内面を傾斜面として成り、後固定子２Bは、前記後拡開片側の一方側では前記係合溝と後拡開片に噛合する係合片と分割溝を設け、他方側では円盤状の圧締盤を一体に設けて該圧締盤から前記一方側へボルト挿通用のボルト孔を貫設して成り、軸体３は、筒体１に内嵌される長さで前端部には筒体１の外径に収まるテーパ部を設け、後端部には後拡開片を拡開する勾配の案内面を設け、軸心にネジ孔を設けて成り、筒体１と筒体２を組合わせ筒体１に内挿した軸体３を筒体２に挿入したボルトにより引き込むことにより、前後の拡開片を外方へ突出させるものである。
請求項２の拡開アンカーは前固定子１Fと後固定子２Bとを一体としたものである。
請求項３に記載した拡開アンカーは、請求項１又は２に記載した拡開アンカーにおいて、前記軸体のテーパ部の近傍に前記固定子の割溝に係合する係合子を立設して成る。
【発明の効果】
【０００５】
本発明の拡開アンカーはボルトの回動によってコンクリートく体の孔に挿入された固定子を移動することなく、一定姿勢で前後に配設された前拡開片と後拡開片とを孔壁に食い込ませて固着するから、２個所の支持点が固定子の損傷なく確保されて水平方向と鉛直方向の固定強度や耐久性も向上し、しかも、作業が簡易労力も軽微であるから事実上極めて有益である。
【発明を実施するための最良の形態】
【０００６】
後拡開片の拡開誘発部とは、筒体の内周面に形成する下り勾配の傾斜面や、筒体の外周から後拡開片を押し下げてその内面に形成される傾斜内面であり、前記傾斜面が筒体に内嵌する軸体で押し上げられたときは後拡開片の上面は筒体の外周から起立して孔壁に食い込むが、傾斜内面を軸体で押し上げたときは後拡開片の上面は筒体の外周と面一となるのみであるから、後拡開片を押し下げてその内面に傾斜内面を形成した場合には、後拡開片の上面に筒体の外周と面一に圧着ピースを溶着したり、レーザー加工後の後拡開片の後端を上面に折曲して起立部を形成する。また、割溝に係合する係合子は、軸本体に植設するものから一体に形成するものがある。その形状は丸ピン状のものから板状のものなどである。また、前拡開片の数は４個に限定されるものではなく６個や８個など適宜に選択される。
【実施例１】
【０００７】
本発明の拡開アンカーＡを実施例により説明すると、図１に示すように拡開アンカーＡは大別すると筒体１と筒体２と軸体３とボルト４とが組合わされて成っている。所要長さ（40mm）所要外径（18mm）の円筒状の筒体１は先端部周面に先端から軸心に沿って所要長さ（20mm）で均等に刻設した複数（４個）の割溝１aによって形成された複数（４個）の前拡開片１bが配設され、後端部周面には後端から軸心に沿って割溝１a相互間の中心を軸線として均等に幅７mmで深さ10mmの４個の雌部としての係合溝１cが設けられるとともに、係合溝１cによって分割形成された雄部としての後拡開片１dの内面には拡開誘発部として後端に向けて下り勾配の傾斜面１eが設けられて前固定子１Fが形成されて成っている。筒体２は、前固定子１Fに組合わされる側、すなわち前記筒体１と同径の筒状体の一方側（前方）では、雌部の係合溝１cに噛合する複数（４個）の雄部としての係合片２aと、係合片２aの相互間に形成され雄部としての後拡開片１dに噛合する雌部としての分割溝２bが設けられ、他方（後方）には所要外径（40mm）の円盤状の圧締盤２cを一体に設け、その外面に所要内径（35mm）、所要深さ（３mm）の凹部２dが設けられ、その中心に筒体２を貫通するボルト孔2eを貫設して前固定子1F雌雄の噛合によって係脱自在に係合される後固定子２Bとから成っている。軸体３は、前固定子１Fに内嵌される所要長さ（全長40mm）の軸本体３aの前端部には最大径部が筒体１の外径に収まる末広がり状のテーパ部３bが配設され、後端部には前記拡開誘発部としての傾斜面１eを滑らかに拡開する下り勾配の案内面３cが配設され、軸心にネジ孔３dを貫通螺設して成っている。ボルト４は軸体３のネジ孔３dに螺合して軸体３を引き込むものでボルト４には平座金５が外嵌付設されている。
なお、前固定子１Fの係合溝１cと後固定子２Bの係合片２aとの雌雄の噛合は、図２（ｂ）に示すように、係合片２aの先端に形成した下り勾配の傾斜外面２fが係合溝１cの溝底に設けた筒体１の外面から内面に向かう下り勾配の傾斜内面１fに接合されて確実に連結される。
【０００８】
このようにして成る拡開アンカーＡは、図２（ａ）に示すように組立てられた状態で市販に供され、建設現場においてコンクリートく体６に穿設された孔７に挿入され、いわゆるあと施工アンカーとして外装材の取付けに使用される。
すなわち、図３（ａ）に示すように、前固定子１Fと後固定子２Bが合体した状態で孔７に挿入され、圧締盤２cの内面がコンクリートく体６の表面に密着する状態にセットされる。
然る後にボルト４を回動して軸体３を引き込むと、軸体３のテーパ部３bは前固定子１Fの４個の前拡開片１bの割溝１aに沿う面を変形させて拡開し、後端の案内面３cが後拡開片１dの傾斜面１eを押し上げ４個の後拡開片１dを拡開し、遂には圧締盤２cのコンクリートく体６の表面への圧締状態でボルト４による引き込みで前拡開片１bと後拡開片１dはそれぞれ孔壁７aに食い込み、拡開アンカーＡは図３（ｂ）に示すように、孔７の前後２個所の支持点で強固に支持される。
このように拡開アンカーＡの孔７への固着において孔壁７aに接触して孔７の内部を前後に移動するパーツはなく、ボルト４の回動による軸体３の引き込みで孔壁７aの前後２個所の周面４個所において前拡開片１bは左回り状に拡開され、後拡開片１dは右回り状に拡開されるから、両拡開片１b、１dは前後の２個所で相互につかむように孔壁７aに圧入されるので拡開アンカーＡは軽微な労力で確実に孔７に固着される。
なお、ボルト４と軸体３のネジ孔３dとの螺合状態によっては、ボルト４と軸体３とが共回りする場合があるから、図１の仮想線で示すように、軸本体３aのテーパ部３bの近傍に係合子３eを立設（上下２個など）し、該係合子３eを割溝１aに案内すれば共回りは防止できる。
【０００９】
このようにして孔壁７aに固着された拡開アンカーＡはボルト４が抜き取られ、図４に示すように、軸体３のネジ孔３dにアンカーボルト８の先方のネジ部８aが螺着され、コンクリートく体６の表面に張り付けられた断熱材９と、断熱材９を押さえる胴縁材１０がアンカーボルト８の後方のネジ軸８bにおいてナット１１で締結され、その外面に外装材１２が張り付けられて仕上げられる。
なお、アンカーボルト８のネジ部８aに代えて軸体３を引き込むボルト４を一体にしたアンカーボルト（図外）も提供され得る。
この場合には拡開アンカーＡの孔壁７aへの固着後、ボルト４を抜き取ることもなく仕上げ作業が簡易化されるが、軸体３の引き込み時に不要なアンカーボルト８の部分も回動することになるから労力の面では負担が増えることとなる。
以上のように、コンクリートく体６の要所で断熱材９や胴縁材１０が取着される拡開アンカーＡには鉛直方向の自重が負荷されるが、孔壁７aの前後２個所の支持点で前後からつかむように支持されるから、取付け強度の面でも耐久性の面でも信頼度が高い。
【実施例２】
【００１０】
次に、図５に示した拡開アンカーＢについて説明すると、このものは基本的には拡開アンカーＡにおける後固定子２Bと前固定子１Fとが一体、筒体１と筒体２とが一体となったものである。
すなわち、所要長さ、所要外径の円筒状の筒体１には、その先端部周面に先端から軸心に沿って均等に刻設した複数（４個）の割溝によって形成された複数（４個）の前拡開片１aが配設され、後端部には所要外径の円盤状の圧締壁２cがその中心を前記軸心に一致させて一体に設けられ、その外面には所要内径、所要深さの凹部２dが設けられ、その中心に筒体１に連通するボルト孔２eが貫設され、さらに、前拡開片１bと所要の間隔を隔てて割溝１aの中心にその中心を合致させてレーザー加工で横向きＶ字状に切断された後拡開片１dが周面に均等に複数（４個）設けられ、Ｖ字の底部が切断されて後拡開片１dは図５（ｂ）に示すように筒体１の内面側に所要に押し下げられ、その後拡開片１dの傾斜面１eが拡開誘発部として拡開に関与する。
したがって、下方に折り曲げ状態の後拡開片１dの上面には筒体１の外周と周一面に溶着（後拡開片１dの後端部を上に折曲する方法もある。）した圧着ピース１gが配設されて固定子Ｆが形成される。
したがって、ボルト４を回動して軸体３を引き込めば先端部のテーパ部３bが前拡開片１bの割溝１aに沿う面を拡開し、同時に軸体３の後端部の案内面３cが後拡開片１dの傾斜面１eを押し上げ、圧着ピース１gが筒体１の外周から起立し、前後２点において前拡開片１bと後拡開片１dが孔壁７aを前後からつかむように孔壁７aに食い込んで圧着される。
なお、ボルト４と軸本体３との共回りを防止する係合子３eを軸体３aに立設して筒体１の割溝１aに案内することと、使用の状態におけるアンカーボルト８に外装仕上げは拡開アンカーＡにおけると同様でその説明を省略する。
【産業上の利用可能性】
【００１１】
本発明の拡開アンカーによれば、コンクリートく体にあと施工アンカーとして用いられ、その固着の簡易性と固着後の安定性と耐久性が確保されるから、コンクリートく体の外装工事の短縮化と信頼性の向上が図られ、建設業界における一層の需要が期待される。
【図面の簡単な説明】
【００１２】
【図１】本発明の拡開アンカーＡの分解斜視図。
【図２】拡開アンカーＡの組立て状態の説明図で、（ａ）はその平面図、（ｂ）は（ａ）のＡ−Ａ矢視部分縦断面図。
【図３】拡開アンカーＡのコンクリートく体６への固定説明図で、（ａ）は拡開アンカーＡの孔７への挿入状態図、（ｂ）は拡開アンカーＡの孔７への固定状態図。
【図４】拡開アンカーＡの使用状態の説明図。
【図５】本発明の拡開アンカーＢの実施例２に置ける説明図で、（ａ）はその平面図、（ｂ）は（ａ）のＢ−Ｂ矢視要部断面図。
【符号の説明】
【００１３】
１：筒体
１a：割溝
１b：前拡開片
１c：係合溝
１d：後拡開片
１e：傾斜面
１f：傾斜内面
１g：圧着ピース
１F：前固定子
２：筒体
２a：係合片
２b：分割溝
２c：圧締盤
２d：凹部
２e：ボルト孔
２f：傾斜外面
２B後固定子
３：軸体
３a：軸本体
３b：テーパ部
３c：案内面
３d：ネジ孔
３e：係合子
４：ボルト
５：平座金
６：コンクリートく体
７：孔
７a：孔壁
８：アンカーボルト
８a：ネジ部
８b：ネジ軸
９：断熱材
１０：胴縁材
１１：ナット
１２：外装材
Ｆ：固定子
Ａ、Ｂ：拡開アンカー
【図１】
2008144539.tif 000003
【図２】
2008144539.tif 000004
【図３】
2008144539.tif 000005
【図４】
2008144539.tif 000006
【図５】
2008144539.tif 000007